(57)【要約】【課題】ユーザの利便性低下を抑制しつつ、消費電力を低減させることができる情報端末装置を提供する。【解決手段】携帯電話機は、ディスプレイ２１と、前回のキー操作から次回のキー操作までに予め定められた規定時間ＴＲが経過すると、ディスプレイ２１をオフするＣＰＵ１００とを備える。ＣＰＵ１００は、前回のキー操作の態様に応じて規定時間ＴＲを設定する。即ち、ＣＰＵ１００は、前回のキー操作が実行中のアプリケーションを終了するキー操作であれば規定時間ＴＲを短くする。また、ＣＰＵ１００は、前回のキー操作が文字、数字および記号の少なくとも一つを入力するキー操作であれば規定時間ＴＲを長くする。【選択図】図２
2010278689.tif 000002
【特許請求の範囲】
【請求項１】
情報端末装置において、
所定動作を行う作動部と、
次回の操作入力がないまま前回の操作入力から予め定められた規定時間が経過すると、前記作動部への電力を低減させるあるいは前記作動部を停止させる作動制御部と、
前記前回の操作入力の態様に応じて前記規定時間を設定する時間設定部と、
を備えたことを特徴とする情報端末装置。
【請求項２】
請求項１に記載の情報端末装置において、
前記時間設定部は、前記前回の操作入力が実行中のアプリケーションを終了する操作入力であれば前記規定時間を短くする、
ことを特徴とする情報端末装置。
【請求項３】
請求項１または２に記載の情報端末装置において、
前記時間設定部は、前記前回の操作入力が文字、数字および記号の少なくとも一つを入力する操作入力であれば前記規定時間を長くする、
ことを特徴とする情報端末装置。
【請求項４】
請求項１ないし３の何れか一項に記載の情報端末装置において、
前記作動部は表示部であり、
前記作動制御部は、次回の操作入力がないまま前回の操作入力から予め定められた規定時間が経過すると、前記表示部の輝度を低減させるあるいは前記表示部を消灯させる、
ることを特徴とする情報端末装置。
【発明の詳細な説明】
【技術分野】
【０００１】
本発明は、携帯電話機やＰＤＡ（Personal Digital Assistant）、パーソナルコンピュータ等の情報端末装置に関するものである。
【背景技術】
【０００２】
従来、携帯電話機等の情報端末装置では、消費電力を低減するための種々の制御が行われている。たとえば、ユーザによりキー操作が行われた後、次のキー操作がそのまま行わなければ、ディスプレイの輝度を低減させたり、ディスプレイを消灯したりする制御が行われている。
【０００３】
キー操作が行われた後ディスプレイが消灯等されるまでの時間、即ちディスプレイの点灯時間が短いほど、消費電力の低減につながる。その反面、点灯時間が短いと、ユーザが少しの間キー操作を中断しただけでディスプレイが消灯等してしまいやすくなる。このため、ディスプレイを復帰させるためのキー操作を頻繁に行わなければならなくなり、ユーザの利便性が低下してしまう。
【０００４】
そこで、情報端末装置において、ユーザの利便性を考慮すべく、たとえば、電話モード、スケジュールモード等の各種モードに応じてディスプレイの点灯時間を設定するような構成が採られ得る（特許文献１参照）。
【先行技術文献】
【特許文献】
【０００５】
【特許文献１】特開２００２−３５７６８３号公報
【発明の概要】
【発明が解決しようとする課題】
【０００６】
しかしながら、ユーザに利便性の悪さを感じさせないために必要な点灯時間は、そのときの操作入力の状況によって変わり得るものであり、また、ユーザ毎の個人差によっても変わり得る。このため、上記のようにモードに応じて画一的に点灯時間が設定される構成とされても、ユーザの利便性低下の問題は十分に解消され得ない。
【０００７】
本発明は、かかる課題に鑑みてなされたものであり、ユーザの利便性低下を抑制しつつ、消費電力を低減させることができる情報端末装置を提供することを目的とする。
【課題を解決するための手段】
【０００８】
本発明の情報端末装置は、所定動作を行う作動部と、次回の操作入力がないまま前回の操作入力から予め定められた規定時間が経過すると、前記作動部への電力を低減させるあるいは前記作動部を停止させる作動制御部と、前記前回の操作入力の態様に応じて前記規定時間を設定する時間設定部とを備える。
【発明の効果】
【０００９】
本発明によれば、ユーザの利便性低下を抑制しつつ、消費電力を低減させることができる情報端末装置を提供することができる。
【００１０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１１】
【図１】実施の形態に係る携帯電話機の外観構成を示す。
【図２】実施の形態に係る携帯電話機の全体構成を示すブロック図である。
【図３】実施の形態に係る省電力制御のフローチャートである。
【図４】実施の形態に係る省電力処理ステップの変更例を示す図である。
【発明を実施するための形態】
【００１２】
以下、本発明の実施の形態について、図面を参照して説明する。図１は携帯電話機の外観構成を示す図であり、同図（ａ）は、第２キャビネットが開放した状態の携帯電話機の正面図、同図（ｂ）は同じ状態での側面図である。同図（ｃ）は同図（ｂ）のＡ−Ａ´断面図である。
【００１３】
携帯電話機は、第１キャビネット１と第２キャビネット２を備えている。第１キャビネット１には、キー入力部３が配されている。キー入力部３は、機器への各種の操作入力を検出する。
【００１４】
第１キャビネット１の上面には、キー入力部３を構成する操作キー群３ａが配されている。操作キー群３ａは、４個のメインキー３１と、方向キー３２と、決定キー３３と、１２個のテンキー３４によって構成されている。なお、キー入力部３は、後述するキー入力回路３５、キーバックライト３６（図２参照）をさらに備えている。
【００１５】
メインキー３１は、各種機能モード（カメラ撮影モード、メール送受信モード、インターネットモードなど）のアプリケーションを起動するためのキーや電話による通話開始、終了を行うためのキーである。通話を終了させるためのキーは、アプリケーションを終了させるためのＥＮＤキーとしても機能する。方向キー３２は、表示画面に表示された各種メニューから所望のメニューを選択する際に操作されるキーであり、決定キー３３は選択されたメニューの決定等を行うためのキーである。テンキー３４は、文字（ひらがな、カタカナ、アルファベット）や数字、記号の入力を行うためのキーである。テンキー３４は、主に文字等を入力するためのキーとして機能するが、実行されるアプリケーションによっては、方向キーなど、他のキーとして機能することもある。なお、テンキー３４の一部を、ＱＷＥＲＴＹキー等で構成してもよい。
【００１６】
第２キャビネット２にはディスプレイ２１が配されている。ディスプレイ２１は、後述のように液晶パネルと液晶パネルを照明するパネルバックライトにより構成されている。なお、ディスプレイ２１は、有機ＥＬにより構成されてもよい。ディスプレイ２１の表示画面側には、タッチセンサ２２が配されている。タッチセンサ２２は透明なシート状を有しており、タッチセンサ２２を透してディスプレイ２１の表示画面を見ることができる。
【００１７】
タッチセンサ２２は、マトリクス状に配された第１透明電極と第２透明電極とを備え、これら透明電極間の静電容量の変化を検出することによって、ユーザに触られた表示画面上の位置を検出し、その位置に応じた位置信号を出力する。なお、タッチセンサ２２は、静電容量式のタッチセンサに限られず、抵抗膜方式、感圧式等のタッチセンサであってもよい。
【００１８】
第２キャビネット２は、スライド機構部４によって、第１キャビネット１に対し図１のＸ軸方向にスライド可能に連結されている。図１（ｃ）に示すように、スライド機構部４は、ガイド板４１とガイド溝４２によって構成されている。ガイド板４１は、第２キャビネット２の背面の左右両端部に設けられており、その下端に突条４１ａを有する。ガイド溝４２は、第１キャビネット１の側面に、スライド方向（図１のＸ軸方向）に沿って形成されている。ガイド板４１の突条４１ａは、ガイド溝４２に係合されている。
【００１９】
携帯電話機を閉じた状態では、図１（ｂ）に一点鎖線で示すように、第２キャビネット２が第１キャビネット１の上に略完全に重なっている。この状態（閉じた状態）では、第２キャビネット２の背後に操作キー群３ａの全てのキーが隠れた状態となる。第２キャビネット２は、ガイド板４１がガイド溝４２の終端位置に達するまでスライドする（開いた状態とする）ことができる。第２キャビネット２が完全に開くと、図１（ａ）に示すように、操作キー群３ａの全てのキーが外部に露出する。
【００２０】
全てのキーが隠れた状態において、携帯電話機への操作入力は、タッチパネル２２により行うことができる。このとき、ディスプレイ２１の表示画面上には、所定の位置にソフトキーの画像が表示される。
【００２１】
図２は、携帯電話機の全体構成を示すブロック図である。本実施の形態の携帯電話機は、上述した各構成要素の他、ＣＰＵ１００、カメラモジュール１０１、映像エンコーダ１０２、マイク１０３、音声エンコーダ１０４、キー入力回路３５、リアルタイムクロック（ＲＴＣ）１０５、通信モジュール１０６、メモリ１０７、バックライト駆動回路１０８、キーバックライト３６、映像デコーダ１０９、音声デコーダ１１０、通話スピーカ１１１、外部スピーカ１１２、バッテリー１１３、電源回路１１４を備えている。
【００２２】
カメラモジュール１０１は、ＣＣＤ等の撮像素子を有し、取り込んだ画像に応じた撮像信号を生成し、映像エンコーダ１０２へ出力する。映像エンコーダ１０２は、カメラモジュール１０１からの撮像信号を、ＣＰＵ１００が処理できるデジタルの撮像信号に変換してＣＰＵ１００へ出力する。
【００２３】
マイク１０３は、音声信号を電気信号に変換して音声エンコーダ１０４へ出力する。音声エンコーダ１０４は、マイク１０３からの音声信号を、ＣＰＵ１００が処理できるデジタルの音声信号に変換してＣＰＵ１００へ出力する。
【００２４】
キー入力回路３５は、操作キー群３ａの各キーが押されたときに、各キーに応じた入力信号をＣＰＵ１００へ出力する。ＲＴＣ１０５は、現在時刻をカウントしてＣＰＵ１００へ出力する。
【００２５】
通信モジュール１０６は、ＣＰＵ１００からの音声信号や画像信号、テキスト信号などを無線信号に変換し、アンテナ１０６ａを介して基地局へ送信する。また、アンテナ１０６ａを介して受信した無線信号を音声信号や画像信号、テキスト信号などに変換してＣＰＵ１００へ出力する。
【００２６】
メモリ１０７は、ＲＯＭおよびＲＡＭを含む。メモリ１０７には、ＣＰＵ１００に制御機能を付与するための制御プログラムが記憶されている。また、メモリ１０７には、カメラモジュール１０１で撮影した画像データや通信モジュール１０６を介して外部から取り込んだ画像データ、テキストデータ（メールデータ）などが所定のファイル形式で保存される。
【００２７】
キーバックライト３６は、操作キー群３ａの個々のキーを照明する。ディスプレイ２１は、液晶パネル２１ａと、液晶パネル２１ａに光を供給するパネルバックライト２１ｂとを備えている。
【００２８】
バックライト駆動回路１０８は、ＣＰＵ１００からの制御信号に応じた電圧信号をキーバックライト３６およびパネルバックライト２１ｂに供給する。映像デコーダ１０９は、ＣＰＵ１００からの映像信号を液晶パネル２１ａで表示できるアナログの映像信号に変換し、液晶パネル２１ａに出力する。
【００２９】
音声デコーダ１１０は、ＣＰＵ１００からの音声信号を通話スピーカ１１１で出力できるアナログの音声信号に変換し、通話スピーカ１１１に出力する。また、音声デコーダ１１０は、ＣＰＵ１００からの着信音、アラーム音等の各種報知音の音信号を外部スピーカ１１２で出力できるアナログの音信号に変換し、外部スピーカ１１２へ出力する。通話スピーカ１１１は、音声デコーダ１１０からの音声信号を音声として再生する。外部スピーカ１１２は、音声デコーダ１１０からの着信音等を再生する。
【００３０】
バッテリー１１３は、ＣＰＵ１００やＣＰＵ１００以外の携帯電話機の各部へ電力を供給するためのものであり、二次電池からなる。バッテリー１１３は、電源回路１１４に接続されている。
【００３１】
電源回路１１４は、バッテリー１１３の電圧を前記各構成部に必要な大きさの電圧に変換して各構成部に供給する。また、電源回路１１４は、外部電源の入力部（図示せず）を介して供給された電力をバッテリー１１３に供給して、バッテリー１１３を充電する。
【００３２】
ＣＰＵ１００は、カメラモジュール１０１、マイク１０３、キー入力回路３５、タッチセンサ２２など各部からの入力信号に基づいて、通信モジュール１０６、映像デコーダ１０９、音声デコーダ１１０などの各部に制御信号を出力することにより、通話処理や各種機能モードのアプリケーションを実行する。なお、ＣＰＵ１００には、後述の省電力制御に用いられるタイマー部１００ａが、その機能の一部として備えられている。
【００３３】
さて、本実施の形態の携帯電話機では、初動状態において、ディスプレイ２１に初期画面（メニュー画面）や待受け画面が表示されている。このような初動状態からキー入力部３やタッチパネル２２を用いた操作入力が行われることにより、操作入力に応じたアプリケーションが実行される。
【００３４】
初動状態やアプリケーションの実行時、通常はディスプレイ２１が定常の輝度で点灯している。しかし、ディスプレイ２１の消費電力は比較的大きいため、バッテリー１１３の使用時間をできるだけ長くするには、不要な状況において、ディスプレイ２１（パネルバックライト２１ｂ）の輝度を低くしたり、パネルバックライト２１ｂあるいはディスプレイ２１全体（液晶パネル２１ａおよびパネルバックライト２１ｂ）をオフしたりすることが望ましい。そこで、本実施の形態では、ディスプレイ２１による電力消費をできるだけ小さくすべく、以下に説明する省電力制御が行われる。
【００３５】
図３は、本実施の形態に係る省電力制御のフローチャートである。図３（ａ）は省電力制御の主たる処理の流れを示す。図３（ｂ）は、省電力制御において実行される省電力処理（同図（ａ）のステップＳ１４）の流れを示す。以下、図３のフローチャートに従って処理内容を説明する。
【００３６】
処理が開始されると、ＣＰＵ１００は規定時間ＴＲを設定する。規定時間ＴＲは、次のキー操作が行われない場合に、前のキー操作が行われてからディスプレイ２１をオフするまでの時間である。ＣＰＵ１００は規定時間ＴＲとして標準値、たとえば１５秒を設定する（Ｓ１１）。
【００３７】
次に、ＣＰＵ１００は、キー操作（キーによる操作入力）が行われたか否かを判定する（Ｓ１２）。キー操作には、操作キー群３ａの操作の他、タッチパネル２２によるソフトキーの操作が含まれる。キー操作が行われると（Ｓ１２：ＹＥＳ）、ＣＰＵ１００は、ディスプレイ２１がオン状態にあるか否かを判定し、オン状態にあれば（Ｓ１３：ＹＥＳ）、図３（ｂ）に示す省電力処理を行う（Ｓ１４）。
【００３８】
即ち、ＣＰＵ１００は、キー操作が終わると同時に経過時間Ｔのカウントを開始する（Ｓ１０１）。経過時間Ｔは、ＣＰＵ１００のタイマー部１００ａによりカウントされる。次に、ＣＰＵ１００は、操作されたキーがＥＮＤキーであったか否かを判定する（Ｓ１０２）。そして、操作されたキーがＥＮＤキーであれば（Ｓ１０２：ＹＥＳ）、ディスプレイ２１の表示が待受け画面に戻ったか否かを判定する（Ｓ１０３）。
【００３９】
ＥＮＤキーの操作により待受け画面に戻る動作は、アプリケーションが終了したことを意味する。ＥＮＤキーが操作されてアプリケーションが終了した場合、ユーザによる操作入力が一段落したと考えられるから、この後すぐに次のキー操作が行われる度合いは、他のキー操作に比べて少ないと考えられる。そこで、ＥＮＤキーが操作されて待受け画面に戻った場合（Ｓ１０３：ＹＥＳ）、ＣＰＵ１００は、規定時間ＴＲを、標準値より短い時間、たとえば１０秒に設定する（Ｓ１０４）。
【００４０】
一方、ＣＰＵ１００は、操作されたキーがＥＮＤキーでないと判定すると（Ｓ１０２：ＮＯ）、規定時間ＴＲを標準値のままとする。また、ＥＮＤキーが操作されても待受け画面に戻らなければ（Ｓ１０３：ＮＯ）、同じく、規定時間ＴＲを標準値のままとする。たとえば、メール文書の作成時にＥＮＤキーが操作された場合、その文書が保存されていなければ、待受け画面に戻らずに保存のための表示がなされる。
【００４１】
次に、ＣＰＵ１００は、キー操作が行われたか否かを判定し（Ｓ１０５）、キー操作が行われていなければ、経過時間Ｔが規定時間ＴＲに達したか否かを判定する（Ｓ１０６）。
【００４２】
経過時間Ｔが規定時間ＴＲに達する前にキー操作が行われれば（Ｓ１０５：ＹＥＳ）、ＣＰＵ１００は、再びステップＳ１０１からＳ１０４の処理を行う。キー操作が行われないまま、経過時間Ｔが規定時間ＴＲに達すると（Ｓ１０６：ＹＥＳ）、ＣＰＵ１００はディスプレイ２１をオフする。即ち、パネルバックライト２１ｂを消灯するとともに液晶パネル２１ａの駆動を停止させる（Ｓ１０７）。
【００４３】
このようにして、本実施の形態では、キー操作が行われない状態がしばらく続くと、ディスプレイ２１がオフするため、消費電力が低減される。このため、バッテリーの使用可能時間が長くなる。
【００４４】
その後、処理がステップＳ１１に戻り、ＣＰＵ１００は、規定時間ＴＲが標準値でなければ標準値に戻し、キー操作が行われたか否かを判定する（Ｓ１２）。
【００４５】
ディスプレイ２１がオフされている状態から、ユーザが次のキー操作を行う場合には、まずディスプレイ２１を復帰させるために任意のキーを操作する。ＣＰＵ１００は、キー操作がなされたと判定すると（Ｓ１２：ＹＥＳ）、このときディスプレイ２１はオフ状態にあるため（Ｓ１３：ＮＯ）、ディスプレイ２１をオンする（Ｓ１５）。その後は、再び省電力処理へと移行される（Ｓ１４)。
【００４６】
図４は、省電力処理ステップＳ１４において実行される処理ルーチンの変更例を示す図である。まず、図４（ａ）に示す省電力処理について説明する。
【００４７】
ＣＰＵ１００は、キー操作が終わると同時に経過時間Ｔのカウントを開始する（Ｓ２０１）。次に、現在実行されているアプリケーションを判定し（Ｓ２０２）、そのアプリケーションにおけるキーの割当情報を取得する（Ｓ２０３）。そして、取得したキーの割当情報から操作されたキーが文字、数字および記号の何れか（以下、「文字等」という）を入力するキーであったか否かを判定する（Ｓ２０４）。
【００４８】
通常はテンキー３４により文字等の入力が行われるため、テンキー３４が操作されれば、文字等が入力された可能性が高い。このため、テンキー３４が操作されれば、文字等が入力されたと判定することも可能である。しかしながら、アプリケーションによっては、テンキー３４が文字等の入力以外のキーとして割り当てられることもある。このため、本実施の形態では、操作されたキーと、キーの割当情報とにより文字等が入力されたか否かを判定するようにしている。
【００４９】
操作されたキーが文字等を入力するキーである場合、文字等の入力が継続される可能性が高い。よって、この場合は、キー操作がしばらく行われなくてもディスプレイ２１をオフしないことが望ましい。たとえば、メール文書の作成時、次の文章を考えるために一時的にキー操作が止められた場合、ディスプレイ２１の文字を見ながら文章を考えている可能性も高く、このような点を考えると、ディスプレイ２１をオフしないことがより望ましいと考えられる。そこで、ＣＰＵ１００は、操作されたキーが文字等の入力のためのキー操作であったと判定すると（Ｓ２０４：ＹＥＳ）、規定時間ＴＲを、標準値より長い時間、たとえば２０秒に設定する（Ｓ２０５）。
【００５０】
一方、ＣＰＵ１００は、操作されたキーが文字等を入力するキーでなかったと判定すると（Ｓ２０４：ＮＯ）、規定時間ＴＲを標準値のままとする。
【００５１】
以降の処理は、図３（ｂ）の省電力処理と同様であり、ＣＰＵ１００は、キー操作が行われたか否かを判定し（Ｓ２０６）、キー操作が行われないまま経過時間Ｔが規定時間ＴＲに達すると（Ｓ２０７：ＹＥＳ）、ディスプレイ２１をオフする。（Ｓ２０８）。
【００５２】
次に、図４（ｂ）に示す省電力処理について説明する。この省電力処理は、図４（ａ）の省電力処理と図３（ｂ）の省電力処理とを合わせた処理となっており、図４（ａ）に対しステップＳ２０９からＳ２１１の処理が付加された構成となっている。
【００５３】
即ち、この省電力処理においては、ステップＳ２０４において、操作されたキーが文字等の入力キーでないと判定すると、ＣＰＵ１００は、次にＥＮＤキーであるか否かを判定し（Ｓ２０９）、ＥＮＤキーであれば（Ｓ２０９：ＹＥＳ）、ディスプレイ２１の表示が待受け画面に戻ったか否かを判定する（Ｓ２１０）。そして、待受け画面に戻ったと判定すると（Ｓ２１０：ＹＥＳ）、規定時間ＴＲを、標準値より短い時間、たとえば１０秒に設定する（Ｓ２１１）。
【００５４】
なお、ステップＳ１０７、ステップＳ２０８において、ＣＰＵ１００は、ディスプレイ２１全体をオフしているが、液晶パネル２１ａは駆動したまま、パネルバックライト２１ｂのみを消灯するようにしてもよい。また、パネルバックライト２１ｂを完全に消灯するのではなく、パネルバックライト２１ｂへ供給する電力を低減させて、その輝度を低下させるようにしてもよい。さらに、パネルバックライト２１ｂの輝度を低下させた後、さらに一定時間キー操作がなければパネルバックライト２１ｂを消灯するようにしてもよい。勿論、パネルバックライト２１ｂを消灯したときには、合わせて液晶パネル２１ａの駆動を停止してもよい。さらに、パネルバックライト２１ｂの輝度を低下させた後にパネルバックライト２１ｂを消灯するまでの時間を規定時間ＴＲと同様に設定するようにしてもよい。
【００５５】
以上、本実施の形態について説明したが、本実施の形態によれば、次のような作用効果を奏することができる。
【００５６】
本実施の形態によれば、次回のキー操作がないまま前回のキー操作から規定時間ＴＲが経過すると、ディスプレイ２１（バックライト２１ｂ）がオフされる（あるいは輝度が低減される）。このとき、規定時間ＴＲは、前回のキー操作の態様に応じて設定される。これにより、規定時間ＴＲを、直前のキー操作の態様に細かく対応させることができる。よって、ユーザの利便性低下を抑制しつつ消費電力の低減を図ることができる。
【００５７】
即ち、前回のキー操作がＥＮＤキーの操作であり、アプリケーションを終了させるためのキー操作であるときには、キー操作が継続されにくいと考えられるので、規定時間ＴＲが短くされる。また、前回のキー操作が文字等の入力キーであるときには、キー操作が継続されやすいと考えられるので、規定時間ＴＲが長くされる。こうすると、キー操作が続けて行われ易いかに応じて、ディスプレイ２１がオフまたは輝度低下されるまでの時間が調節される。よって、ユーザの利便性低下を抑制しつつ消費電力の低減を図ることができる。
【００５８】
即ち、本実施の形態によれば、前回の操作入力から次回の操作入力までに予め定められた規定時間が経過すると、作動部への電力が低減されるあるいは作動部が停止される。ここで、規定時間は、前回の操作入力の態様に応じて設定されるため、規定時間を、直前のキー操作の態様に細かく対応させることができる。よって、ユーザの利便性低下を抑制しつつ消費電力の低減を図ることができる。
【００５９】
たとえば、前回の操作入力が実行中のアプリケーションを終了する操作入力であれば、規定時間が短くされ、前回の操作入力が文字、数字および記号の少なくとも一つを入力する操作入力であれば、規定時間が長くされる。こうすると、キー操作が続けて行われ易いかに応じて、作動部の動作継続時間が調節される。よって、ユーザの利便性低下を抑制しつつ消費電力の低減を図ることができる。
【００６０】
本発明の実施形態は、上記以外に種々の変更が可能である。たとえば、上記実施の形態では、操作入力が、操作キー群の３ａの各キーやタッチパネル２２を用いて行われている。しかし、これに限らず、音声や携帯電話機への振動によって操作入力が行われる構成とされてもよい。
【００６１】
また、上記実施の形態では、キー操作がなされると、直ちに経過時間Ｔのカウントが行われるよう構成されている。しかし、これに限らず、キー操作に基づく処理が行われた後に経過時間Ｔのカウントが開始されてもよい。たとえば、ＥＮＤキーが操作されたときには、それに伴いアプリケーションが終了されたときに経過時間Ｔのカウントが開始されてもよい。
【００６２】
さらに、上記実施の形態では、省電力制御によりディスプレイ２１を制御するようにしているが、これに限らず、ディスプレイ２１以外の作動部、たとえば、タッチセンサ２２、キーバックライト３６に対して省電力制御を適用することもできる。このとき、タッチセンサ２２がディスプレイ２１と同時にオフ（通電を停止）されるような制御とされてもよいが、ディスプレイ２１がオフされた後一定時間が経過してからタッチセンサ２２がオフされるような制御とされてもよい。また、ディスプレイ２１がオフされてからタッチセンサ２２がオフされるまでの時間が上記規定時間ＴＲと同様な手法により設定されてもよい。
【００６３】
さらに、本発明の情報端末装置は、携帯電話機に限られず、ＰＤＡ（Personal Digital Assistant）やパーソナルコンピュータ等であってもよい。
【００６４】
この他、本発明の実施の形態は、特許請求の範囲に示された技術的思想の範囲内において、適宜、種々の変更が可能である。
【符号の説明】
【００６５】
３      キー入力部
２１    ディスプレイ（作動部、表示部）
２２    タッチセンサ（作動部）
３６    キーバックライト（作動部）
１００  ＣＰＵ（作動制御部、時間設定部）
【図１】
2010278689.tif 000003
【図２】
2010278689.tif 000004
【図３】
2010278689.tif 000005
【図４】
2010278689.tif 000006